(57)【要約】      （修正有）【課題】エアコンの冷房効率およびフィルター交換の便利性を高めるエアコンのフィルター交換自動お知らせ装置を提供する。【解決手段】エアコンの外殻の前方正面の空気排出口に、フィルターを軸棒および伝動部によって配置し、かつフィルターの長さは空気排出口面積の二倍以上とし、軸棒に巻きつけて収める巻き付け筒形状をなし、同時にフィルター両側にはそれぞれ相隣する若干の定位孔を設け、伝動部に対応する構造部と両側の定位孔を伝動状態に結合させる。伝動部は少なくとも１つのモーターを含み、制御器に電気的に接続する。制御器は、モーターの運転スタート時間をコントロールでき、フィルターは一定時間経つと、伝動部の働きを受けて位置移動を起こす。【選択図】図２
0003165159.tif 000002
【実用新案登録請求の範囲】
【請求項１】
エアコンのフィルター交換自動お知らせ装置にはエアコンを構成要素として含み、
前記エアコンの外殻の前方正面には空気排出口を配置し、ならびに前記空気排出口の外側にはフィルターを備え、
空気排出口に相隣する前記外殻の内部上方には対称位置にある２つの第一枢着部を設け、軸棒を回転状態に枢着して結合し、下方の適当箇所には前記伝動部を配置し、次に、前記フィルターは前記軸棒および伝動部を使って前記空気排出口箇所に設け、その長さは前記空気排出口面積の２倍以上とし、前記軸棒に巻きつけて収め筒に巻きつけた状態にし、同時に前記フィルターの両側にはそれぞれ相隣する若干の定位孔を形成し、前記伝動部に対応させる構造部と両側の定位孔を伝動結合させ、
前記伝動部には少なくとも１つのモーターと若干の伝動部材を備え、前記モーターは従動する前記伝動部材を回転させ、前記伝動部材の一端を前記フィルターの定位孔と伝動する状態で結合させているため、前記伝動部が作動すると、従動される前記フィルターも巻きついて位置を移動させ、また、前記伝動部のモーターは制御器に電気的に接続させ、前記制御器はセットすると定時に前記モーターの運転スタート時間をコントロールできるため、前記フィルターは一定時間経過した後、前記伝動部の働きを受けて長く伸びて巻き付け位置を変更させて、フィルター交換を自動的に知らせる目的を達成することを特徴とするエアコンのフィルター交換自動お知らせ装置。
【請求項２】
前記伝動部には２つのモーター、４つの第一伝動部材、４つの第二伝動部材、および２つの連動棒を備え、同時に前記空気排出口中段に対応する前記外殻の内壁面箇所にそれぞれ、２つが対称位置にある第二枢着部と、底部に配置する平面と２つの第三枢着部とを配置することにより、第一伝動部材をそれぞれ第二枢着部箇所に枢設し、また、前記２つのモーターをそれぞれ底部両側平面の適当箇所に固定し、かつ各モーター一端の軸部にはそれぞれ第二伝動部材を取り付け、その他の２つの第二伝動部材をそれぞれ前記第三枢着部箇所に軸着し、前記２つの第三枢着部と前記２つのモーターとの位置を対応させて配置し、かつ前記第二伝動部材の中心位置にはそれぞれ、２つの連動棒をそれぞれ対応する２つの第二伝動部材間に取り付けるための軸孔を形成し、前記モーターを運転させる時、前記第二伝動部材もそれに従動して回転し、また、各第一伝動部材と第二伝動部材の外端にはそれぞれ歯を環状配列させた歯車を配置し、各歯車はそれぞれフィルター両側の対称位置にある定位孔に嵌合し、伝動状態で結合される仕組みを構成することを特徴とする請求項１記載のエアコンのフィルター交換自動お知らせ装置。
【請求項３】
前記制御器は前記エアコンの電気制御システムに電気的に接続させ、圧縮機の運転時間値を感知することにより、各モーターの自動起動をコントロールするタイマー基準とすることを特徴とする請求項２記載のエアコンのフィルター交換自動お知らせ装置。
【考案の詳細な説明】
【技術分野】
【０００１】
本考案はエアコンの実用新案に関し、特にエアコンに追加取り付けするフィルター交換装置に係る。
【背景技術】
【０００２】
毎年夏になると台湾全土はストーブの中にいるような高温多湿の実に耐え難い気候となる。よって、エアコンの需要は非常に高くなる。エアコン上のフィルターは空気中の塵や埃を濾過する作業を担い、室内の空気の質およびクーラー効率を維持するため、フィルターを定時に洗浄作業をすることは非常に重要である。また、フィルターは洗浄時期を考えなければならない。一般の使用者の多くは、積極的に洗浄作業を行わないゆえに通常は洗浄前後にある長い時間が経過し、それがエアコン効率の不良を招く原因の１つとなっている。人の健康に対する脅威となり得ることもある（特に呼吸器系の疾患）。そのため、特許文献１に開示した「エアコンのフィルター装置」のような案部材が世に問われている。
【０００３】
図１に示す通り、前記特許文献１のエアコン１は、空気入口１１より吸入された空気は、動かした後、冷気として排出される。空気入口１１外の機体表面周囲に複数のマジックテープ１２を粘着し、空気入口１１に対応する形状のフィルター２を直接その上に粘着し、空気入口１１に完全に被覆させるため、使用者はフィルターの汚れのレベルを簡単に観察および判別できる。
【先行技術文献】
【特許文献】
【０００４】
【特許文献１】台湾特許公告番号第３５２１５５号明細書
【考案の概要】
【考案が解決しようとする課題】
【０００５】
しかし、マジックテープ１２による粘着固定方式は使用者にとってフィルター２交換を便利にするものではあるが、フィルター２を取り外す時に、フィルター２上の綿屑が多かれ少なかれその上に付着し、長期的に使用すると、粘着する綿屑が過多となり、マジックテープ１２の粘着力が弱まるため、フィルター２を確実に安定させてその上に粘着固定できなくなる。それゆえに、更に便利にフィルター交換ができ、しかも自動お知らせ機能のついた実用新案をいかに生み出すかが、本考案人の思考すべき方向性となった。
【課題を解決するための手段】
【０００６】
本考案の主な目的は、エアコンのフィルター交換が便利で、ならびに自動お知らせ機能を備えることにより、エアコンの冷房効率およびフィルター交換の便利性を高める「エアコンのフィルター交換自動お知らせ装置」を提供することにある。
【０００７】
本考案の「エアコンのフィルター交換自動お知らせ装置」はエアコンを構成要素とし、前記エアコンの外殻の前方正面には空気排出口を配置し、ならびに前記空気排出口の外側にはフィルターを備え、前記フィルターは、軸棒および伝動部によって前記空気排出口箇所に取り付けられる。構造設計上、空気排出口に相隣する前記外殻の内部上方には対称位置にある２つの第一枢着部を設け、軸棒を回転状態で枢着して組み合わせ、下方の適当箇所には前記伝動部を装着する。次に、前記フィルターの長さは前記空気排出口面積の二倍以上とし、前記軸棒に巻きつけて筒に巻きつけた状態にすることができる。同時に前記フィルターの両側にはそれぞれ若干の相隣する定位孔を設け、前記伝動部に対応する構造部と両側の定位孔を伝動結合させる。前記伝動部には２つのモーター、４つの第一伝動部材、４つの第二伝動部材、および２つの連動棒を備え、同時に前記空気排出口中段に対応する前記外殻の内壁面箇所にそれぞれ、２つが対称位置にある第二枢着部と、底部に配置する平面と２つの第三枢着部とを配置することにより、第一伝動部材をそれぞれ第二枢着部箇所に枢設する。また、前記２つのモーターはそれぞれ底部両側平面の適当箇所に固定し、かつ各モーター一端の軸部にはそれぞれ第二伝動部材を取り付け、その他の２つの第二伝動部材はそれぞれ前記第三枢着部箇所に軸着し、前記２つの第三枢着部位置は前記２つのモーターに向き合う位置に配置し、かつ前記第二伝動部材の中心位置にはそれぞれ、２つの連動棒をそれぞれ対応する２つの第二伝動部材間に取り付けるための軸孔を形成し、前記モーターを運転させる時、前記第二伝動部材も従動されて回転する。また、各第一伝動部材と第二伝動部材の外端にはそれぞれ、歯を環状配列させた歯車を配置し、各歯車はそれぞれフィルター両側の対称位置にある定位孔に嵌合し、伝動結合により構成される装置となる。更に、前記伝動部のモーターは制御器に電気的に接続し、前記制御器は、設定することにより定時に前記モーターの運転スタート時間をコントロールでき、前記フィルターは一定時間経つと、前記伝動部の働きを受けて巻いてある長さを伸ばして位置移動を起こし、フィルター交換を自動的に知らせる目的を達成する。前述した通り、前記伝動部と制御器の組み合わせによって、フィルター交換が必要であることを自動的に知らせる動作を定時に行うことにより、エアコンの冷房効率およびフィルター更換の便利性を高める。
【考案の効果】
【０００８】
エアコンのフィルター交換が便利にでき、自動お知らせ機能を備える「エアコンのフィルター交換自動お知らせ装置」は、エアコンの冷房効率およびフィルター交換の便利性を高める効果を有する。
【図面の簡単な説明】
【０００９】
【図１】公知エアコンの立体分解図である。
【図２】本考案の立体組立外観図である。
【図３】本考案の立体分解図である。
【考案を実施するための形態】
【実施例】
【００１０】
図２および図３に示す通り、本考案の「エアコンのフィルター交換自動お知らせ装置」は、エアコン２０と前記エアコン２０上に取り付けたフィルター３０と軸棒４０と伝動部５０と制御器６０を構成要素として成る。
【００１１】
前記エアコン２０は一般の窓型エアコンであり、その外殻２１前方正面には空気排出口２１１を配置し、ならびに前記空気排出口２１１の外側には前記軸棒４０および伝動部５０によってフィルター３０を配置する。主に、空気排出口２１１に相隣する前記外殻２１の内壁上方には対称位置となる２つの第一枢着部２１２を設け、前記軸棒４０を回転可能な状態で枢着結合させ、中段および底部に近い内壁面箇所にはそれぞれ２つが対称位置にある第二枢着部２１３と第三枢着部２１４を配置し、前記伝動部５０を取り付ける。また、前記外殻２１の外側エッジには本体カバー２２を配置し、前記本体カバー２２を前記空気排出口２１１の外側に被覆した場合、前記空気排出口２１１に対応する下方には丁度フィルター３０を通過させるための隙間が形成される（図示せず）。
【００１２】
前記フィルター３０は前記空気排出口２１１箇所に配置し、その長さサイズは前記空気排出口２１１面積の２倍以上とし、実際の応用においては１０倍以上を最良とする。前記フィルター３０の一端は巻きつけて前記軸棒４０上に定位し、他の一端は前記伝動部５０によって定位される。この定位構造設計は、前記フィルター３０両側それぞれに若干の相隣する定位孔３１を形成して、前記伝動部５０に対応する構造部と両側の定位孔３１を伝動結合させる。
【００１３】
前記軸棒４０は一般には細長い棒体とし、その中段位置に前記フィルター３０の一端を固定させた後、前記フィルター３０を巻きつけ収めた筒形状とし、その両端を前記エアコン２０の対称位置にある２つの第一枢着部２１２箇所に枢設すると、前記軸棒４０は、前記フィルター３０が前記伝動部５０に従動された時に軸回転動作をする。
【００１４】
前記伝動部５０は、２つのモーター５１と４つの第一伝動部材５２と４つの第二伝動部材５３と２つの連動棒５４により構成される。前記モーター５１は空気排出口２１１に近い前記外殻２１の底部に固定し、かつ一端の軸部５１１は前記空気排出口２１１箇所に突出する。次に、各第一伝動部材５２および第二伝動部材５３の一端は棒状をなし、他の一端は歯を環状配列した歯車５２１、５３１を突設し、かつ前記第二伝動部材５３の軸方向中心位置には軸孔５３２を形成し、各連動棒５４は直径が軸孔５３２と同等の細長い棒とする。
【００１５】
前述各構成要素の組み合わせにおいて、前記第一伝動部材５２をそれぞれ前記外殻２１の第二枢着部２１３箇所に枢着し、前記モーター５１をそれぞれ外殻２１の底部両側平面の適当箇所に固定し、かつ各前記モーター５１一端の軸部５１１は、それぞれ第二伝動部材５３に取り付け、また２つの第二伝動部材５３はそれぞれ、前記第三枢着部２１４箇所に枢着固定させる。前記第三枢着部２１４の位置は前記モーター５１を設置する位置に対応し、前記連動棒５４はそれぞれ、前記第二伝動部材５３に対応する軸孔５３２間に取り付ける。また、前記第一伝動部材５２と第二伝動部材５３の歯車５２１、５３１はそれぞれ、対応する前記フィルター３０両側の定位孔３１に嵌設し、前記フィルター３０と伝動結合する。前記モーター５１が運転する時、それに従動される前記第二伝動部材５３は回転し、更に前記第二伝動部材５３の働きと第一伝動部材５２の補助を受けて、前記フィルター３０は長さを伸ばし位置移動する。
【００１６】
前記制御器６０は一般に時間をタイマーコントロールする電子装置を備え、前記外殻２１の内側または外側に配置する。少なくとも一端を前記モーター５１と電気的に接続し、前記モーター５１の運転スタート時間をセットしてタイマーコントロールする。あるいは前記制御器を前記エアコン２０の電気制御システム（図示せず）に電気的に接続させて、圧縮機の運転時間値を感知することにより各モーター５１の自動起動をコントロールするタイマー基準とする。
【００１７】
前述の通り、上述の構成要素の組み合わせにより、前記軸棒４０に前記フィルター３０の一端を巻きつけ、前記フィルター３０の他の一端と前記伝動部５０は伝動する状態で連結し、更に前記制御器６０を通して前記伝動部５０の運転をタイマーコントロールしているゆえ、前記フィルター３０を一定時間使用した後は、前記伝動部５０が自動的に位置移動を行い、前記空気排出口２１１下方の隙間から外側に露出する。使用者にはフィルター３０の交換時期が来たことを定時に知らせ、使用者は手動方式によって露出したフィルターを取り外すことができる。また、前記空気排出口２１１下方の隙間箇所に更に自動カッター（図示せず）を配置すると、自動的にフィルター３０を取り外すことができる。あるいは、前記フィルター３０の表面に予めカッター線を形成すると、使用者は切り裂く方法で淘汰するフィルターを取り外すことができ、よって、本考案は、エアコンの冷房効率とフィルター交換の便利性を高められる。
【００１８】
前述した通り、本考案は、同類製品の中でも進歩性、実用性が顕著であり、併せて国内外の本装置に関する技術資料を調べてみたところ、文献には未だ同様の構造を有するものが発見されなかったゆえに、実用新案の要件に符合するものとして、ここに出願を行う。
【００１９】
上述の実施例は、例を挙げて本考案を説明したのみであり、本技術の熟知者が創作精神の範囲を逸脱せずに行う各種変化、修飾、応用は何れも本考案の範疇に含まれるものとする。
【符号の説明】
【００２０】
２０                  エアコン
２１                  外殻
２１１                空気排出口
２１２                第一枢着部
２１３                第二枢着部
２１４                第三枢着部
２２                  本体カバー
３０                  フィルター
３１                  定位孔
４０                  軸棒
５０                  伝動部
５１                  モーター
５１１                軸部
５２                  第一伝動部材
５２１                歯車
５３                  第二伝動部材
５３１                歯車
５３２                軸孔
５４                  連動棒
６０                  制御器
【図１】
0003165159.tif 000003
【図２】
0003165159.tif 000004
【図３】
0003165159.tif 000005